(57)【要約】【課題】廻縁が上ブロックに対応する部分において室内側に突出することを防止できる浴室構造を提供する。【解決手段】壁パネル２が連結される支柱１４の上端部に上ブロック２９が取り付けられる。壁パネル２はその上端面の室外側の縁部から上方に突出するパネル上突片４５を有する。上ブロック２９がパネル上突片４５の室内側の面と面一となる廻縁当接面６５を有する。パネル上突片４５の室内側の面及び廻縁当接面６５に沿って廻縁６１が設けられる。【選択図】図１
2013007166.tif 000002
【特許請求の範囲】
【請求項１】
壁パネルが連結される支柱の上端部に上ブロックが取り付けられ、前記壁パネルはその上端面の室外側の縁部から上方に突出するパネル上突片を有し、前記上ブロックが前記パネル上突片の室内側の面と面一となる廻縁当接面を有し、前記パネル上突片の室内側の面及び前記廻縁当接面に沿って廻縁が設けられることを特徴とする浴室構造。
【請求項２】
前記上ブロックが、前記パネル上突片の側端面に対向する当接部を有し、この当接部の室内側の面が前記廻縁当接面となり、前記当接部の室外側から前記パネル上突片の室外側に突出して前記パネル上突片の室外側の面に沿う重複片部が設けられたことを特徴とする請求項１に記載の浴室構造。
【請求項３】
前記パネル上突片の室外側の面に沿って天井パネルの室外側の縁部から下方に突出した垂片が配置され、前記パネル上突片が前記垂片にビス止めされるものであって、前記重複片部が前記当接部よりも薄肉に形成され、前記当接部の室外側の面と前記重複片部の室外側の面が面一となって、両面で前記天井パネルの垂片が当接するパネル当接面が構成されたことを特徴とする請求項２に記載の浴室構造。
【請求項４】
前記上ブロックが下方に突出して前記支柱の外側に嵌まる外嵌込部を有し、この外嵌込部の下端の内縁部に下方程外側に位置するように傾斜したガイド面が設けられたことを特徴とする請求項１乃至３のいずれか一項に記載の浴室構造。
【発明の詳細な説明】
【技術分野】
【０００１】
本発明は、壁パネルを支柱に連結する浴室構造に関する。
【背景技術】
【０００２】
例えば特許文献１には、ユニットバスルームの壁パネルを建て込むにあたって、隣り合う壁パネルを支柱ジョイナーを介して連結する浴室構造が開示されている。この支柱ジョイナーの上端部には隣り合う壁パネルの間に形成される目地の幅を一定にするため上ブロックが装填されている。また、上ブロックの上端後方側には外れ防止片が設けられている。この外れ防止片は、壁パネルの上縁部から後方に折り返した断面Ｌ字状の折り返し部に当接することにより、上ブロックが外れ難くなっている。
【先行技術文献】
【特許文献】
【０００３】
【特許文献１】特開２００５−９２３０号公報
【発明の概要】
【発明が解決しようとする課題】
【０００４】
ところで、特許文献１の浴室構造において、壁パネルの断面Ｌ字状の折り返し部の横片部とこの上方の天井パネルの間に廻縁を設ける場合、廻縁を折り返し部の縦片部の室内側の面に沿って配置することが考えられる。しかし、前記上ブロックの外れ防止片は折り返し部の縦片部の室内側に配置されており、この外れ防止片の室内側の面と、前記縦片部の室内側の面との間に段差が形成される。このため、前記廻縁を外れ防止片の室内側の面に沿って配置した場合、廻縁の外れ防止片に対応する部分が縦片部に対応する部分よりも室内側に突出し、見栄えを損ねたり、水密性が害される恐れがある。
【０００５】
本発明は上記事情に鑑みてなされたものであって、廻縁が上ブロックに対応する部分において室内側に突出することを防止できる浴室構造を提供することを課題とする。
【課題を解決するための手段】
【０００６】
上記課題を解決するために本発明の浴室構造は、壁パネルが連結される支柱の上端部に上ブロックが取り付けられ、前記壁パネルはその上端面の室外側の縁部から上方に突出するパネル上突片を有し、前記上ブロックが前記パネル上突片の室内側の面と面一となる廻縁当接面を有し、前記パネル上突片の室内側の面及び前記廻縁当接面に沿って廻縁が設けられることを特徴とする。
【０００７】
また、前記上ブロックが、前記パネル上突片の側端面に対向する当接部を有し、この当接部の室内側の面が前記廻縁当接面となり、前記当接部の室外側から前記パネル上突片の室外側に突出して前記パネル上突片の室外側の面に沿う重複片部が設けられることが好ましい。
【０００８】
また、前記パネル上突片の室外側の面に沿って天井パネルの室外側の縁部から下方に突出した垂片が配置され、前記パネル上突片が前記垂片にビス止めされるものであって、前記重複片部が前記当接部よりも薄肉に形成され、前記当接部の室外側の面と前記重複片部の室外側の面が面一となって、両面で前記天井パネルの垂片が当接するパネル当接面が構成されることが好ましい。
【０００９】
また、前記上ブロックが下方に突出して前記支柱の外側に嵌まる外嵌込部を有し、この外嵌込部の下端の内縁部に下方程外側に位置するように傾斜したガイド面が設けられることが好ましい。
【発明の効果】
【００１０】
本発明にあっては、廻縁が上ブロックに対応する部分において室内側に突出することを防止できる。
【図面の簡単な説明】
【００１１】
【図１】天井パネルや廻縁の図示を省略した、本実施形態の浴室構造における中間上ブロック及びその近傍を示す斜視図である。
【図２】天井パネルや廻縁の図示を省略したユニットバスルームの破断斜視図である。
【図３】下ブロック及びその近傍を示す斜視図である。
【図４】パネル掛止具を取り付けた壁パネルの斜視図である。
【図５】中間支柱の下部における壁パネルの連結構造を示す水平断面図である。
【図６】天井パネルや廻縁の図示を省略した、隅上ブロック及びその近傍を示す斜視図である。
【図７】中間上ブロックの斜視図である。
【図８】中間上ブロックの底面図である。
【図９】当接リブを設けた箇所における水平断面図である。
【図１０】中間支柱の上部における壁パネルの連結構造を示す水平断面図である。
【図１１】隅上ブロックの斜視図である。
【図１２】隅上ブロックの底面図である。
【図１３】隅支柱の上部における壁パネルの連結構造を示す水平断面図である。
【図１４】壁パネルと天井パネルの連結構造を示す鉛直断面図である。
【図１５】隅上ブロックの断面図である。
【発明を実施するための形態】
【００１２】
以下、本発明を添付図面に基づいて説明する。本実施形態の浴室構造は住宅やマンション等に設けられるユニットバスルームに適用されたものである。このユニットバスルームは、図２に示すように、床パン１と、床パン１の外周縁部上に建て込まれた複数の壁パネル２と、壁パネル２上に設けられた複数の天井パネル３（図１４参照）を具備している。
【００１３】
浴室底部を構成する床パン１は、合成樹脂製であって、浴槽部４と洗い場部５とが一体に形された浴槽一体型床パンである。図３に示すように床パン１の外周縁部には上方に突出する立上片部１３が形成されている。
【００１４】
図２のように、壁パネル２は浴槽部４と洗い場部５のいずれにも建て込まれている。各壁パネル２は、浴室壁面を構成する金属製で略縦長矩形状の表面板６を備えている。図４のように表面板６の下縁には室外側に突出して壁パネル２の下端面を構成する下縁片８が形成され、下縁片８の後縁部には上方に突出する下突片１０が形成されている。
【００１５】
各壁パネル２の下突片１０には、下方に開口する掛止溝部１２を有するパネル掛止具１１が壁パネル２の幅方向に複数取り付けられている。図３のように各パネル掛止具１１の掛止溝部１２には床パン１の立上片部１３が差し込まれて係止されており、この状態で、各壁パネル２はパネル掛止具１１と共にパッキン（不図示）を介して床パン１の外周縁部上に載置されている。
【００１６】
床パン１の外周縁部には、後述の各支柱１４を支持する下ブロック１５が取り付けられている。各下ブロック１５は、大略ブロック状の支柱載置部２７と、支柱載置部２７の室外側端部から下方に突出した被引掛部１７を有している。支柱載置部２７の室内側部分は下方に突出しており、該突出部分と被引掛部１７の間には下方に開口する差込溝１６が形成されている。差込溝１６には床パン１の立上片部１３が差し込まれ、被引掛部１７は床パン１の下面外縁部に引っ掛けられ、この状態で各下ブロック１５は床パン１の外周部上に載置されている。
【００１７】
図５に示すように、各下ブロック１５は、支柱載置部２７から上方に突出した内嵌部２４と、同支柱載置部２７から上方に突出して内嵌部２４の外側に位置する外嵌部２５を有している。
【００１８】
各下ブロック１５に支持される支柱１４は、ステンレスなどの金属製であって、両側の壁パネル２を連結している。支柱１４には、図５に示すように平面視で直線状に並んで隣り合う壁パネル２同士を連結する中間支柱３１と、図１３に示すように平面視で直角になるように並ぶ壁パネル２同士を連結する隅支柱３２とがある。なお、中間支柱３１と隅支柱３２は共通点が多いため、以下では共通する構成につき、中間支柱３１及び隅支柱３２を共に支柱１４と記載して説明する。
【００１９】
図５及び図１３に示すように、各支柱１４は水平断面が室内側に開口する溝形に形成されている。各支柱１４の下端部には、内側に下ブロック１５の内嵌部２４が嵌め込まれると共に、外側に下ブロック１５の外嵌部２５が嵌め込まれており、この状態で各支柱１４は下ブロック１５の支柱載置部２７上に載置されている。
【００２０】
各支柱１４の両側の室内側縁部には、水平断面略Ｖ字状の係止部２０が形成されている。各係止部２０は、支柱１４の側板部２１から支柱１４の幅方向内側に向けて突出する突片部２２と、突片部２２の突端を室外側において折り返して形成された折返部２３とで構成されている。
【００２１】
各壁パネル２の表面板６の両側縁部には、室外側に突出する側縁片部２６が形成されている。各側縁片部２６には壁パネル２の幅方向内側に向かって突出する被係止部２８が形成されている。被係止部２８は側縁片部２６の突端を壁パネル２の幅方向内側において折り返した折返片部で構成されており、この被係止部２８は水平断面で壁パネル２の幅方向内側に向かって突出したＶ字状に形成されている。
【００２２】
各壁パネル２の両側の被係止部２８は対応する支柱１４に室内側から挿入され、対応する係止部２０の室外側に係止され、これにより各壁パネル２は支柱１４の幅方向外側への移動及び室内外方向の移動が規制されている。
【００２３】
各支柱１４の上端部には、図１及び図６のように支柱１４両側の壁パネル２の上方への移動を規制する合成樹脂製の上ブロック２９が取り付けられている。なお、上ブロック２９は、図１１のように単一の成形品で構成してもよいし、図７のように、一方の壁パネル２側の半部を構成する一側ブロック体３５と、他方の壁パネル２側の半部を構成する他側ブロック体３６の二部材を組み合わせて構成してもよい。
【００２４】
上ブロック２９には、中間支柱３１に取り付けられる図７に示す中間上ブロック３３と、隅支柱３２に取り付けられる図１１に示す隅上ブロック３４とがある。なお、中間上ブロック３３と隅上ブロック３４は共通点が多いため、以下では共通する構成につき、中間上ブロック３３及び隅上ブロック３４を共に上ブロック２９と記載して説明する。
【００２５】
各上ブロック３９は、対応する支柱１４の溝幅方向を左右方向としたとき、図７及び図１１に示すように左右対称に形成されている。各上ブロック２９は、上面部を構成する覆部３８と、覆部３８から下方に突出した内嵌込部３７と、同覆部３８から下方に突出して内嵌込部３７の外側に位置する外嵌込部３９を有している。なお、中間上ブロック３３の外嵌込部３９は、図７のように覆部３８の両側に形成した側壁部６７で構成され、隅上ブロック３４の外嵌込部３９は、図１１のように両側に形成した側壁部６７と両側壁部６７の室外側端部同士を接続する後壁部６８で構成されている。
【００２６】
各上ブロック３９は、図１０及び図１３に示すように、内嵌込部３７が支柱１４の上端部の内側に嵌め込まれ、外嵌込部３９が支柱１４の外側に嵌め込まれており、これにより対応する支柱１４に固定されている。このように支柱１４に取り付けられた上ブロック３９は、内嵌込部３７が支柱１４内に挿入された両被係止部２８の室外側に位置し、被係止部２８の水平方向の移動を規制する。また、図１や図６のように、覆部３８は対応する支柱１４の上方に位置して当該支柱１４の上端開口の室内側中央部を除く全部を覆う。
【００２７】
図１５に示すように、隅上ブロック３４の外嵌込部３９の下端の内縁部には、下方程外側に位置するように傾斜したガイド面６９が形成されている。このため、外嵌込部３９を隅支柱３２の外側に上方から嵌め込む際には、ガイド面６９により外嵌込部３９及び内嵌込部３７が隅支柱３２に嵌まり込むよう隅上ブロック３４をガイドできる。
【００２８】
図８に示すように中間上ブロック３３の覆部３８において内嵌込部３７の室内側に位置する箇所の両側には、水平な下面から当接リブ４１が下方に向けて突出している。中間上ブロック３３にあっては、図９のように各当接リブ４１の下面が対応する壁パネル２の被係止部２８上に当接している。また、図示は省略するが、隅上ブロック３４にあっては覆部３８の下面が両側の壁パネル２の被係止部２８上に当接している。これにより、支柱１４に連結された両壁パネル２の上方への移動が各上ブロック２９により規制されている。
【００２９】
図５及び図１３に示すように、各支柱１４には、両側の壁パネル２の対向する側縁片部２６の間から縦に長い乾式の目地材５４が圧入されている。これにより両側の側縁片部２６の間から支柱１４内に浴室内の水が浸入することが防止されている。また、各目地材５４により、両側の壁パネル２が離れる方向に付勢され、これにより両側の被係止部２８が支柱１４の係止部２０から外れることが防止されている。
【００３０】
図１４に示すように、各天井パネル３は対応する壁パネル２の上端部に取り付けられている。各天井パネル３は浴室天井面を構成する金属製の面板５７を備えており、面板５７の外縁には下方に突出する垂片５９が形成されている。
【００３１】
各壁パネル２の表面板６の上縁には、室外側に突出して壁パネル２の上端面を構成する上縁片４４が形成されている。図１及び図６のように、上縁片４４は表面板６上縁の両端部には形成されておらず、上縁片４４の壁パネル２幅方向における両側には切欠部５０が形成されている。上縁片４４の後縁には上方に突出するパネル上突片４５が形成されている。
【００３２】
各天井パネル３は、図１４のように垂片５９をパネル上突片４５の室外側の面に沿わせ、ビス６０をパネル上突片４５に通して垂片５９に固着することにより、対応する壁パネル２に取り付けられる。
【００３３】
各壁パネル２の上縁片４４とこの上方に配置された天井パネル３の面板５７の外周縁部の間には廻縁６１が設けられている。廻縁６１は複数の壁パネル２に亘って設けられており、側断面矩形状で中空の挿入部６２と、挿入部６２の上面部を室外側に延ばした突出片部６３と、挿入部６２の室内側の面部を下方に延ばした沿片部６４を有している。
【００３４】
廻縁６１は、挿入部６２を上縁片４４と面板５７の間に圧入することで固定されている。この固定状態では、突出片部６３の先端面がパネル上突片４５の室外側の面に当接するとと共に、沿片部６４の室外側の面は表面板６に沿って当接し、これにより廻縁６１が所定位置よりも室外側に押し込まれることが防止されている。
【００３５】
図１及び図６に示すように、各上ブロック３９の覆部３８の室内側半部の両側は廻縁載置部４９となっており、各廻縁載置部４９は対応する壁パネル２の切欠部５０に配置されている。各廻縁載置部４９の上面は対応する壁パネル２の上縁片４４の上面と面一となっており、図示は省略するが、この面には廻縁６１の挿入部６２が載置されている。
【００３６】
各廻縁載置部４９の室外側端部には上方に突出する当接部４７が形成されており、各当接部４７は対応する壁パネル２のパネル上突片４５と平行で且つ当該パネル上突片４５よりも厚い片状に形成されている。各当接部４７の室内側の面は、対応する壁パネル２のパネル上突片４５の室内側の面と面一の廻縁当接面６５となっており、廻縁当接面６５には廻縁６１の突出片部６３の先端面が当接している。
【００３７】
各当接部４７の室内側半部の対応する壁パネル２側の端面は対向面５２となっている。各当接部４７の対向面５２は、対応するパネル上突片４５の側端面に沿うよう正面視弧状に形成されており、対応するパネル上突片４５の側端面に近接対向している。なお、「近接」とは、当接又は近傍に位置することを意味する。
【００３８】
各当接部４７の室外側半部には、対応するパネル上突片４５の室外側に突出して当該パネル上突片４５の室外側の面に当接する重複片部５３が形成されている。この重複片部５３は、浴室内の水が対向面５２とパネル上突片４５の側端面の間から室外側に流れることを防止している。
【００３９】
各当接部４７の室外側の面と対応する重複片部５３の室外側の面は面一になっており、両面でパネル当接面６６が構成されている。図示は省略するが、パネル当接面６６には、天井パネル３の垂片５９の室内側の面が当接している。
【００４０】
図９に示すように、中間上ブロック３３の各当接リブ４１は室内外方向に延びる水平断面直線状に形成されており、平面視において水平断面Ｖ字状の被係止部２８の室内外両側の片部４２，４３に跨り、また、両片部４２,４３と交差している。
【００４１】
ここで、例えば中間上ブロック３３を上方から中間支柱３１に嵌め込んで取り付けたとき、寸法誤差等により、両壁パネル２に載置された中間上ブロック３３の廻縁載置部４９の上面が対応する壁パネル２の上縁片４４の上面よりも高くなる可能性がある。そして、このように上縁片４４の上面との間に段差がある廻縁載置部４９の上面に廻縁６１の一部が載置されると、廻縁６１が前記段差によって変形し、見栄えが悪くなる恐れがある。しかし、この場合、中間上ブロック３３をプラスチックハンマーで上から叩く等すれば、片部４２や片部４３に交差した状態で載置された直線状の当接リブ４１を潰して、廻縁載置部４９の上面と対応する壁パネル２の上縁片４４の上面を面一にできる。このため、見栄え良く廻縁６１を設けることができる。なお、当接リブ４１は隅上ブロック３４に設けても構わない。
【００４２】
以上説明した本実施形態の浴室構造では、図１及び図６に示すように、上ブロック２９がパネル上突片４５の室内側の面と面一となる廻縁当接面６５を有し、パネル上突片４５の室内側の面及び廻縁当接面６５に沿って廻縁６１が設けられている。この構成により、廻縁６１において上ブロック２９の廻縁当接面６５に対応する部分が、壁パネル２のパネル上突片４５に対応する部分よりも室内側に突出することを防止できる。従って、廻縁６１を見栄えや水密性を損なわずに設けることができる。
【００４３】
また、上ブロック２９には、当接部４７の室外側からパネル上突片４５の室外側に突出してパネル上突片４５の室外側の面に沿う重複片部５３が設けられている。このため、浴室内の水が、当接部４７とパネル上突片４５の間に浸入したとしても、この水が室外側に流れることを重複片部５３により防止できる。
【００４４】
ところで、本実施形態のように壁パネル２のパネル上突片４５の室外側の面に上ブロック２９の重複片部５３を沿わせた場合、重複片部５３の室外側の面がパネル上突片４５の室外側の面よりも室外側に配置されて僅かながら段差が形成される。この重複片部５３の室外側の面には天井パネル３の垂片５９が沿うので、天井パネル３の垂片５９が重複片部５３の近傍において室外側に膨み、この膨らんだ部分と重複片部５３の間に形成された隙間を介して浴室内の水が室外側に流れ出る恐れがある。
【００４５】
そこで、本実施形態では、重複片部５３が当接部４７よりも薄肉に形成され、重複片部５３の室外側の面が当接部４７の室外側の面と面一となって、両面で天井パネル３の垂片５９が当接するパネル当接面６５が構成されている。このため、前記隙間を小さくして隙間から浴室内の水が室外側に流れることを防止できる。なお、垂片５９において壁パネル２のパネル上突片４５がビス止めされた箇所は、ビス６０によりパネル上突片４５と垂片５９が密着するので、前記隙間は大きくなり難い。
【００４６】
また、本実施形態では、図１５に示すように、隅上ブロック３４の外嵌込部の下端の内縁部に下方程外側に位置するように傾斜したガイド面６９が設けられている。このため、外嵌込部３９を隅支柱３２の外側に上方から嵌め込む際には、ガイド面６９によって外嵌込部３９が隅支柱３２に嵌まり込むよう隅上ブロック３４をガイドでき、外嵌込部３９を隅支柱３２に容易に嵌め込むことができる。なお、ガイド面６９は中間上ブロック３３の外嵌込部３９に形成してもよい。
【符号の説明】
【００４７】
２  壁パネル
１４  支柱
２９  上ブロック
３０  外嵌込部
４５  パネル上突片
４７  当接部
５３  重複片部
５９  垂片
６０  ビス
６１  廻縁
６５  廻縁当接面
６６  パネル当接面
６９  ガイド面
【図１】
2013007166.tif 000003
【図２】
2013007166.tif 000004
【図３】
2013007166.tif 000005
【図４】
2013007166.tif 000006
【図５】
2013007166.tif 000007
【図６】
2013007166.tif 000008
【図７】
2013007166.tif 000009
【図８】
2013007166.tif 000010
【図９】
2013007166.tif 000011
【図１０】
2013007166.tif 000012
【図１１】
2013007166.tif 000013
【図１２】
2013007166.tif 000014
【図１３】
2013007166.tif 000015
【図１４】
2013007166.tif 000016
【図１５】
2013007166.tif 000017